(57)【要約】【課題】年間を通じての使用も可能で、また規格サイズでは不都合を感じるユーザにも充分な満足感が得られ、ベッド用に用いればベッドメイキングが不要で非使用時のベッドを手間をかけずに気持ち良く保つことができ、この状態でファッション性に優れる羽毛上掛け布団を提供する。【解決手段】羽毛上掛け布団を、略矩形状で羽毛が充填された上掛け布団本体部と、前記上掛け布団本体部の両側端辺部にそれぞれ着脱可能な左右一対の矩形状側部延長片と、一方の長辺部が前記上掛け布団本体部の足元側端辺縁に着脱可能で両短辺部それぞれが前記側部延長片それぞれの足元側短辺部に着脱可能な矩形状足元延長片とを含む構成する。【選択図】図２
2004181158.tif 000002
【特許請求の範囲】
【請求項１】
略矩形状で内部には羽毛が充填された上掛け布団本体部と、
前記上掛け布団本体部の長さと所定幅寸法を有した略矩形状で内部には羽毛が充填されており、前記上掛け布団本体部の両長辺縁部にそれぞれ着脱可能な左右一対の側部延長片と、
前記上掛け布団本体部の横幅に対応した長さと前記側部延長片と同幅寸法の略矩形状で内部には羽毛が充填されており、一方の長辺部が前記上掛け布団本体部の足元側端辺縁に着脱可能で両短辺部それぞれが前記側部延長片それぞれの足元側短辺部に着脱可能な足元延長片と、
を含み構成されたことを特徴とする羽毛上掛け布団。
【請求項２】
略矩形状で内部には羽毛が充填されており、左右の長辺縁部に沿ってそれぞれ第１の係合手段Ａを配置し、また、足元側端辺縁に沿って第２の係合手段Ｂを配置した上掛け布団本体部と、
前記上掛け布団本体部の長さと所定幅寸法の略矩形状で内部には羽毛が充填されており、一方の長辺縁部に沿って前記第１の係合手段Ａと係合可能な第３の係合手段Ｃが配置され前記上掛け布団本体部に着脱自在に形成された左右一対の側部延長片と、
前記上掛け布団本体部の横幅に対応した長さと前記側部延長片と同幅寸法の略矩形状で内部には羽毛が充填されており、一方の長辺部に沿って前記第２の係合手段Ｂと係合可能な第４の係合手段Ｄが配置され前記上掛け布団本体部に着脱自在に形成された足元延長片と、
を含み構成されることを特徴とする羽毛上掛け布団。
【請求項３】
前記側部延長片の足元側短辺部と、この足元側短辺部に対応する前記足元延長片の両短辺部それぞれに、前記側部延長片と足元延長片を着脱可能な係合手段Ｆを設けたことを特徴とする請求項２に記載の羽毛上掛け布団。
【請求項４】
略四半分円形状の布辺で、その半径方向端辺部のそれぞれが前記側部延長片の足元側短辺部と前記足元延長片の左右の短辺部とそれぞれに着脱可能に形成された、左右一対の部分円布を更に備えたことを特徴とする請求項３に記載の羽毛上掛け布団。
【請求項５】
前記上掛け布団本体部と略同じ大きさで、前記上掛け布団本体部の裏面に着脱可能な肌掛けと、
前記上掛け布団本体部の裏面側と前記上掛け布団本体部表側の襟元部分を連続的に覆って前記上掛け布団本体部に着脱可能なカバーと、
を更に備えたことを特徴とする請求項１〜４のいずれか１項に記載の羽毛上掛け布団。
【発明の詳細な説明】
【０００１】
【発明の属する技術分野】
本発明は、羽毛上掛け布団に関し、詳しくは、連結可能な複数の部分から構成されて各部分の適宜の連結組み合わせによって多様な用途に対応でき、異なる季節にも快適に使用できる羽毛上掛け布団に関する。
【０００２】
【従来の技術】
一般に上掛け布団は、袋状の側地内部に綿や羽毛等の充填物が充填されている。内部に羽毛を充填した羽毛布団では保温効果・使用感を損なう羽毛の偏在を防止するために、表裏の側地間に小区画室を形成して（キルティング）、この中に羽毛を充填して構成されている（例えば、特許文献１参照。）。
【０００３】
羽毛布団は、一年を通じての気候変化に良く対応して、同じものを一年の比較的多くの期間使うことができる。しかし、暑さ寒さが極端な季節には保温性能の異なる羽毛布団を使い分ける必要がある。複数の布団を用意することは経済的な負担ともなり、入れ換えは煩雑であり、使用しない羽毛布団の保管も頭を痛めなければならない。
【０００４】
また、羽毛布団は、和式寝具として使われるともに、ベッドと組み合わせ使われることも多い。ベッドの上掛け布団として使う場合には次の使用のためにベッドメイキングが必要で、また、使用しない時にはベッドカバーを用いる場合も多い。こうした作業は、多くの手間を要するし、別途ベッドカバーが必要になってしまう。
【０００５】
寝具としてのベッドでは、次にすぐに気持ちよく使えるように準備するためにベッドメイキングが行われる。このベッドメイキングを容易にするための上掛け布団も提案されている（例えば特許文献２参照）。また、一般家庭では使用しない場合に美観をたもつためにベッドカバーを使用することも多い。ベッドカバー兼用とした上掛け布団も提案されている（例えば特許文献３参照）。
【０００６】
【特許文献１】
実公平２−１９０７７号公報
【特許文献２】
特開平１１−１３７３９５号公報
【特許文献３】
特開２０００−２７９３００号公報
【０００７】
ベッドメイキングについては、一層の簡易化が望まれる。また、全体を覆うベッドカバーの使用は意匠性に富んだ布団の模様を隠してしまう。部分的に覆うベッドカバーもファッション性を損なう場合も多い。
【０００８】
この他、一般に羽毛布団を含めた布団はそのサイズが略規格に沿って作られていて、使用者の体格や使用形態によっては幅、あるいは長さが充分でない場合も多々あるが、一般消費者には解消の方法はなく我慢してそのまま使うことになる。
【０００９】
【発明が解決しようとする課題】
本発明は、羽毛布団に係る上述したような問題に鑑みてなされたもので、１セットの羽毛上掛け布団で、年間を通じての使用も可能であり、また通常規格サイズのものでは使用上の難点が生じ満足を得られないユーザにも充分な満足感が得られ、また、ベッドと共に使用した場合には、ベッドメイキングが不要で非使用時のベッドを手間をかけずに気持ち良く保つことができ、この状態でファッション性に優れた羽毛上掛け布団を提供することを目的としてなされたものである。
【００１０】
【課題を解決するための手段】
上記課題解決のため、請求項１記載の発明では、羽毛上掛け布団を、略矩形状で内部には羽毛が充填された上掛け布団本体部と、前記上掛け布団本体部の長さと所定幅寸法を有した略矩形状で内部には羽毛が充填されており、前記上掛け布団本体部の両長辺縁部にそれぞれ着脱可能な左右一対の側部延長片と、前記上掛け布団本体部の横幅に対応した長さと前記側部延長片と同幅寸法の略矩形状で内部には羽毛が充填されており、一方の長辺部が前記上掛け布団本体部の足元側端辺縁に着脱可能で両短辺部それぞれが前記側部延長片それぞれの足元側短辺部に着脱可能な足元延長片とを含み構成する。
【００１１】
また、請求項２の発明では、羽毛上掛け布団を、略矩形状で内部には羽毛が充填されており、左右の長辺縁部に沿ってそれぞれ第１の係合手段Ａを配置し、また、足元側端辺縁に沿って第２の係合手段Ｂを配置した上掛け布団本体部と、前記上掛け布団本体部の長さと所定幅寸法の略矩形状で内部には羽毛が充填されており、一方の長辺縁部に沿って前記第１の係合手段Ａと係合可能な第３の係合手段Ｃが配置され前記上掛け布団本体部に着脱自在に形成された左右一対の側部延長片と、前記上掛け布団本体部の横幅に対応した長さと前記側部延長片と同幅寸法の略矩形状で内部には羽毛が充填されており、一方の長辺部に沿って前記第２の係合手段Ｂと係合可能な第４の係合手段Ｄが配置され前記上掛け布団本体部に着脱自在に形成された足元延長片とを含み構成する。
【００１２】
このような羽毛布団は、上掛け布団本体部を中心に、必要に応じて側部延長片および／または足元延長片を組み合わせて必要サイズを確保したり季節に合わせて保温性能を調節したりして快適に使用することができる。
【００１３】
請求項３の羽毛上掛け布団では、請求項２の羽毛上掛け布団に、更に、前記側部延長片の足元側短辺部と、この足元側短辺部に対応する前記足元延長片の両短辺部それぞれに、前記側部延長片と足元延長片を着脱可能な係合手段Ｆを設けるようにする。これにより、足元側を箱の角部状に保つことができベッドに併せて使用した場合に移動しない、保温性が良い等で好適である。
【００１４】
請求項４の羽毛上掛け布団では、請求項３のものに、更に、略四半分円形状の布辺で、その半径方向端辺部のそれぞれが前記側部延長片の足元側短辺部と前記足元延長片の左右の短辺部とそれぞれに着脱可能に形成された、左右一対の部分円布を付加する。本体に側部延長片と足元延長片の両方を組み合わせ和式に使う場合に美的で、ベッドに使用した場合には保温性を保ちながらも動き易いものとなる。
【００１５】
請求項５の羽毛上掛け布団は、前述のものに、更に、前記上掛け布団本体部と略同じ大きさで、前記上掛け布団本体部の裏面に着脱可能な肌掛けと、前記上掛け布団本体部の裏面側と前記上掛け布団本体部表側の襟元部分を連続的に覆って前記上掛け布団本体部に着脱可能なカバーと、を組み合わせる。保温性調節機能が向上し、また、日常のベッドメイキングの手間を減ずることができる。
【００１６】
【発明の実施の形態】
〔実施例〕以下、本発明につき実施例をあげ図を用いて詳細に説明する。図１の（ａ），（ｂ）両図および図２は、本発明の一実施例のベッド用の羽毛上掛け布団を示しており、図１（ａ）は表面側から見た平面図であり、図１（ｂ）はこの布団をベッドに掛けて使用した場合を示す斜視図である。また、図２は、取り外しが可能な各部分の一部を取り外した状態で示した説明図である。図２等には、後述する各係合手段の取り付け位置を★印で示してある。
【００１７】
実施例の羽毛布団１００は、それぞれが互いに所定の関係で結合および分離が可能な複数の部分、すなわち、上掛け布団本体部１０Ａ，肌掛け１０Ｂ（図１では表れない。図２・図５等参照）と、左右一対の側部延長片２０Ａ，２０Ｂ、足元側の足元延長片３０、この足元延長片３０と前記側部延長片２０Ａ，２０Ｂを繋いでいる部分円布４０および、カバー５０とで構成されている。各部分（部品）は、部品を相互に係合・係止する係止手段を具備していて、後述するようにユーザが必要に応じて適宜組み合わせた状態で使用することができる。また、例えば側部延長片などの一部の部品は単独で所定用途に用いることができる。なお、肌掛け１０Ｂは、図１では上掛け布団本体部１０Ａの裏側に位置していて明示されていない。以下、各部品（部分）について説明する。
【００１８】
上掛け布団本体部（以下では、単に本体部とも言う）１０Ａおよび肌掛け１０Ｂは、それぞれが独立した薄手の羽毛布団になっていて、略従来の羽毛布団と同様に形成されている。それぞれには後述するように係合手段が設けてあり両者を簡単に重ねて留めることまた分離することができるようになっている。本体部１０Ａ（肌掛け１０Ｂも同様）の内部は小区画室に分割されている。すなわち、表裏一対の同形略矩形の表側地と裏側地とを表裏同位置の区画線に沿って配置された隔壁布（襠布）を介して接合するとともに外周辺部に沿って接合して複数の小区画室を形成し、これら小区画室の夫々に羽毛を充填してある。
【００１９】
上掛け布団本体部１０Ａは、これが使用される所定の敷布団の大きさやベッドの上面部に対応した所定寸法の略矩形状の大きさに形成されている。一例として、幅は例えば１２０ｃｍ（略ベッド幅）で長さは布団あるいはベッドの上方頭部部分に枕を置くスペースを残して略ベッドの足元端までの寸法（例えば２００ｃｍ）になっている。本体部１０Ａの裏側には、左右の長辺縁部１０Ａａ，１０Ａｂに沿って両端位置を含んで適宜間隔で第１の係合手段Ａが取り付けられている。また、本体部１０Ａの足元側端辺縁１０Ａｃに沿って第２の係合手段Ｂが適宜間隔で取付けられている。
【００２０】
実施例では、係合手段Ａ，Ｂとしてオス・メスで対となるアメリカンホック６０，６０を用いている。実施例は、図３の説明図に示すように本体部１０Ａ裏面周辺部の合計７カ所にアメリカンホックのオス・メスを取り付けたループ布材７０が一端を縫合して取り付けてある。なお、これら係合手段Ａ，Ｂに対応して、後述するように側部延長片２０Ａ，２０Ｂおよび足元延長片３０の対応する所定部位それぞれに係合手段Ｃ，Ｄとしてボタンホールあるいはアメリカンホックが設けられる。
【００２１】
また、図４の説明図に示すように、本体部１０Ａの表側襟元寄りには、布団側地（ガワジ）と共布のベルトが縫合してあり、係合手段Ｅとしてのボタン８０が幅方向に所定間隔で（図では４カ所）取り付けられている。なお、係合手段Ｅに対応する他方（係合手段Ｅ：ボタンホール）は、後述するように、カバー５０の上端部の対応する位置に設けられる。この係合手段Ｅには、ボタン以外にもアメリカンホック等を用いることも勿論できる。上述の本体部分（および後述の各布団部分）の布団としての具体的な製法や係合手段自体は、周知の既存技術と同様で良いためここでは説明を省略する。
【００２２】
肌掛け１０Ｂは、上記本体部１０Ａの裏面に重ねて用いられる。なお、必要に応じて取り外し使わないこともできる。この肌掛け１０Ｂもその主要部は、上述の本体部１０Ａと略同様に形成されていて、小区画室内部に羽毛が充填されている。肌掛け１０Ｂには、本体部１０Ａの係合手段Ａ，Ｂに対応して、係合手段Ｆが設けられている。すなわち、図５の（肌掛けの係止部配置）説明図に示すように、左右の長辺縁部１０Ｂａ，１０Ｂｂ、および足元側端辺縁１０Ｂｃに沿って前述の各係合手段に対応したボタンホール９０が７カ所設けてある。肌掛け１０Ｂはこのボタンホール９０によって、本体部１０Ａに単独であるいはカバー等の他の部品と共に取り付けることができる。
【００２３】
側部延長片２０Ａ，２０Ｂは、本体部１０Ａと分離可能に形成されている。各側部延長片２０（２０Ａ，２０Ｂ）は、前記本体部１０Ａと同じ長さで、適宜幅寸法（例えば３０ｃｍ）の長尺矩形状で、内部には羽毛が充填されていて長手方向に５列、幅方向に６列（意図的に偶数列に選んである）の小区画となるようにキルティングが施されている。なお、内部の羽毛充填量は、本体部１０Ａ等に比べて少なくしてある。図２等に示されるように側部延長片２０の一方の長辺縁部２０ａには、前記第１係合手段Ａと対応する位置（従って両端も含む）に前記第１の係合手段と係合可能な第３の係合手段Ｃ（ホールあるいはアメリカンホック）が設けてある。また、他方の長辺縁部２０ｂにも同様に、前記第１係合手段Ａと対応する位置に係合手段Ｃが取り付けてある。
【００２４】
また、前記側部延長片２０の足元側短辺部２０ｃに沿って、中央部と前記長辺縁部２０ａとは反対側の角部には、係合手段Ｇ（アメリカンホック）が取り付けてある。なお、前記中央と角部の２カ所のホックに対応する他方ホック（係合手段Ｇ）は、足元延長片３０の対応する所定部位である両側の短辺部３０ｂのそれぞれの対応位置に設けられる。また、後述するように部分円布４０に設けられた係合手段Ｇも前記側部延長片２０の上記係合手段Ｇと係合して相互に連結することができる。
【００２５】
また、前記側部延長片２０には、図９（ａ）に示されているように裏側の一方の端部に長手方向区画長（キルティング間隔）の略半分程度を覆う布片（以下、ポケット片２０ｄという）が縫い付けてあり、これにより袋部２０ｅが形成してある。ポケット片２０ｄの袋部開口側の縁部は斜行させてある。
【００２６】
次に、前記足元延長片３０も本体部１０Ａと分離可能に形成されている。足元延長片３０は、前記本体部１０Ａの横幅に対応した長さで、幅寸法は前記側部延長片２０と同一とした略矩形状で、内部には羽毛が充填され長手方向に３列、幅方向に６列の小区画にキルティングが施されている。なお、内部の羽毛充填量は、本体部１０Ａ等に比べて少なくしてある。
【００２７】
足元延長片３０には、一方の長辺部３０ａに沿って前記第２の係合手段Ｂと係合可能な第４の係合手段Ｄが取り付けてある。また、足元延長片３０の両短辺部３０ｂ，３０ｂそれぞれに、前記側部延長片に配設された前記係合手段Ｇに対応して係合手段Ｇ（アメリカンホック）が取り付けてある。なお、足元延長片３０のこの係合手段Ｇは、後述する部分円布４０に設けられた係合手段Ｇとも係合して互いを連結することができる。更に、足元延長片３０の他方の長辺部３０ｃに沿って、前記長辺部３０ａの係合手段Ｄ（あるいは前記係合手段Ｂ）と係合可能な適宜の係合手段Ｈが設けてある（両端部のものは前記係合手段Ｇがこれを兼ねる構成も可能）。
【００２８】
上述の、本体部１０Ａ、側部延長片２０Ａ，２０Ｂ、足元延長片３０は、意匠性を考慮して共に少なくとも表面側には同一の側地素材を用いて外観上の統一を図る。あるいは、側部延長片２０Ａ，２０Ｂと足元延長片３０を、意匠性を考慮した上掛け布団本体部と異なる配色としても良い。
【００２９】
次に、部分円布４０は、前記側部延長片の足元側短辺部と前記足元延長片の左右の短辺部とそれぞれに着脱可能に形成されている。部分円布４０は、略四半分円形状の柔軟な布素材でなる布辺で、図６の説明図に示すように、その半径方向端辺部４０ａ，４０ａのそれぞれの所定位置（部位）に、前記側部延長片の足元側短辺部２０ｃに設けられた係合手段Ｇ、足元延長片３０の両短辺部３０ｂ，３０ｂそれぞれに設けられた係合手段Ｇに対応するものとしてアメリカンホック（係合手段Ｇ）が取り付けてある。
【００３０】
従って、前記側部延長片の足元側短辺２０ｃと前記足元延長片の左右の短辺部３０ｂとは、部分円部布４０を介して繋ぐことができる。なお、前記側部延長片２０と前記足元延長片３０とは、足元側短辺部２０ｃと左右の短辺部３０ｂとを直接係止することもできる。この場合は、接合部上部端が前記上掛け布団本体部分とで直方体の頂部状になり、平面的使用には全く適さないが、翻ってベッドと組み合わせて使用する際には、足元部分がベッドに適合した形状となり、隙間もできず形崩れしないで就寝時にも非使用時にもかえって好都合となる。
【００３１】
実施例は、更に図７に平面図で示す、組み込み可能なカバー５０を含む構成となっている。カバー５０は、本体部１０Ａに組み付け可能なカバーで、他部品と一体となると本体部１０Ａの裏面と表面襟元部分をカバーする。カバー５０は通常のシーツに適した素材の布製で、本体部と同じ幅で１２０ｃｍ、長さは更に襟元部分を加えた長さで、実施例では約２４０ｃｍである。
【００３２】
カバー５０には、図７に示すように周囲の縁部全周に、離散的に所定の係合手段を設けてある。すなわち、左右の長辺縁部１０Ａａ，１０Ａｂと足元長辺縁部１０Ａｃに沿って本体部１０Ａの係止手段Ａ，Ｂに対応（当然に肌掛け１０Ｂにも）した位置７カ所に係合手段Ｉとしてのボタンホールが、また、上端辺部には前記本体部１０Ａ表面の前記係合手段Ｅに対応すべく４カ所に係合手段Ｊとしてのボタンホールが設けてある。
【００３３】
これにより、カバー５０は、肌掛け１０Ｂの裏側を覆うように本体部１０Ａに係合手段Ｉ（Ａ，Ｂ）により裏面に取り付けて、その上方部分は本体部１０Ａ，肌掛け１０Ｂの上端を回り込んで、その先端部分（上端）の係止手段Ｊを本体部１０Ａ表面の係合手段Ｅに係合させることにより前記本体部１０Ａ等と一体に組み付けることができる。
【００３４】
以上の説明では、多数の係止手段について述べているが、各係止機能毎に別個に係止手段を設けるようにしてもよいが、ある係止手段については兼用することができる。上掛け布団本体部のループ布材とこれを通すボタンホールの組み合わせでは、一つのループ布材を幾つかのボタンホールに同時に通して複数の部材を留めることができ、上述した係止手段の幾つかを兼用している。ループ布材を用いた場合には、実施例で挙げた以外の機能層（例えば保温シート、消臭シート等）を更に一体にして組み込むことも容易である。
【００３５】
以上のように構成された実施例の羽毛上掛け布団１００は、通常の上掛け布団と全く同じように使用される。特に、実施例の羽毛布団は、ユーザの好みに合わせて、その部品を上掛け布団本体部を中心に適宜組み合わせた多様な形態で使用に供することができる。すなわち、敷布団のサイズに合わせて、あるいは寒暖に合わせて等、上述した全ての部品を一体に結合させて、或いは部品のいくつかを分離して組み合わせずに使用出来る。例えば、図１（ｂ）に示すように、本体部１０Ａの左右に側部延長片２０Ａ，２０Ｂを取り付け前記カバー５０を組み付けた幅広の状態で使用することができる。幅広の敷布団２００に適合し、また特別なカバーを別途用意する必要もない。
【００３６】
更に肌掛け（肌掛け１０Ｂ）を裏側に重ね加えて保温性を上げたり、ユーザが身長が大きく長めの敷布団の場合や足元の保温性を良くしたい場合には足元延長片３０を取り付けたりできる。また、図８（符号は図１（ｂ）と同一）に示すように、側部延長片２０を中央の区画線を折り目にして端部を折り返して固定して使用することで、全体としての横幅を調節したり、側端部分の保温性を良くすることができる。
【００３７】
また、側部延長片２０は取り外せば、図９（ａ）に示すように前記ポケット片２０ｄと反対側の端から区画線に合わせて折り畳んで、袋部２０ｅ内部に折り込むことによって略矩形になり単独でクッションとして使用することができる。このように、側部延長片は、布団として使用しない季節などにも収容・保管することなく活用できる。また、足元延長片３０は、図９（ｂ）に示すようにその端部にループを付けて対応するボタンを付けておき、巻いた状態で端を留めることができるようにおけば、枕として活用することができる。
【００３８】
また、実施例の羽毛上掛け布団１００は、図１０に斜視図で示すように少なくとも前記側部延長片２０Ａ，２０Ｂと前記足元延長片３０を組み合わせてベッド３００およびマットレス４００に上から掛けて洋式寝具として使用することもできる。ベッド全体が統一的に上掛け布団で覆われて見栄えも良く、ファッション性に富んでいて、寝るのに使用しないときの謂わばベッドスーツとなって別途にベッドカバーを用意する必要がなくなる。。
【００３９】
そして、このようなベッドで就寝すると、前記側部延長片２０と前記足元延長片３０が適度な重みで垂れ下がり、保温性が向上し、また、布団の移動（位置ずれ）も少ない。なお、室温の程度や好みに応じて、必要ならば前記側部延長片の足元側短辺と前記足元延長片の左右の短辺部とそれぞれを係合手段により接合して、足元部を箱体状にして用いることができ、この場合には保温性がより向上し、布団の位置ずれも更にし難くなる。また、自ら箱形状を保つから、使用後でも特別にベッドメイキング等しなくともそのまま美観を保つ。
【００４０】
部分円布を取り付けても良く、取り付けることによって使用時の全体の柔軟性が増し、部材間のすきまを塞ぐことができ保温性が良くなる。部分円布の使用・非使用により、また、裏面の肌掛けを付加して、あるいは取り外して使用することができ、季節に応じた最適な状態で使用することができる。
【００４１】
このように、実施例の上掛け布団をベッド用に用いれば、丁寧なベッドメイキングをしなくとも非使用時のベッドを手間をかけずに気持ち良く保つことができ、ファッション性にも優れ、また、使用時においては、保温性も良好で好適である。
【００４２】
以上、実施例を挙げて本発明を説明したが、実施例に限らず本発明は適宜変形して実施できる。上述実施例は上掛け布団本体部と組み合わせ可能な多数の部品を組み合わせたものを示しているが、全部を備えていなくとも〔課題を解決するための手段〕として記載されているように、実施例で説明した部品のうちのいくつかを備えた構成も本発明の技術範囲で、含まれる部品に応じて相応の作用・効果が得られる。逆に、実施例で挙げた以外の機能層（例えば保温シート、消臭シート等）を含む構成としても良い。係合手段のうちの一部（例えば各側部延長片２０の長辺縁部２０ｂの外側の係合手段Ｃ）を省略した構成も考えられる。
【００４３】
また、実施例の側部延長片は、６列のものを示したが、これに限らず例えば、４列としても良い。この場合、特に偶数列数としたほうが中央で側部延長片を折り返し易くなるためより好ましい。実施例における各部の係合手段は、各種のものが使用できる。ボタンとボタンホールの組み合わせ、アメリカンホック以外にも、例えば、マジックテープや、ボタンとこれに対応した位置に設けた布ループでの係合など、既知の適宜の係合手段を適宜用いることができる。
【００４４】
【発明の効果】
本発明によれば、１セットの羽毛上掛け布団で年間を通じての使用も可能で、また規格サイズでは使用上の難点が生じ満足を得られないユーザにも充分な使用感を実現できる。また、ベッドと組み合わせた場合は、非使用時のベッドを手間をかけずに気持ち良く保つことができ、この状態でファッション性に優れ、また、使用時の保温性良好な羽毛上掛け布団が得られる。
【図面の簡単な説明】
【図１】（ａ）は本発明一実施例の羽毛上掛け布団を示す平面図、（ｂ）はその使用の一形態を示す斜視図である。
【図２】実施例の羽毛上掛け布団を示す平面図である。
【図３】実施例の羽毛上掛け布団の構成要部の説明図である。
【図４】実施例の羽毛上掛け布団の構成要部の説明図である。
【図５】実施例の羽毛上掛け布団に係る肌掛けの係止部配置の説明図である。
【図６】実施例の羽毛上掛け布団に係る部分円布の説明図である。
【図７】実施例の羽毛上掛け布団に係るカバーの説明図である。
【図８】実施例の羽毛上掛け布団の他の使用形態を示す斜視図である。
【図９】（ａ），（ｂ）は、実施例の羽毛上掛け布団の部品の使用形態を説明する図である。
【図１０】実施例の羽毛上掛け布団のベッドでの使用形態を示す斜視図である。
【符号の説明】
１０Ａ…上掛け布団本体部（本体部）
１０Ｂ…肌掛け
１０Ａａ，１０Ａｂ…長辺縁部
１０Ｂａ，１０Ｂｂ…長辺縁部
１０Ａｃ，１０Ｂｃ…足元側端辺縁
２０Ａ，２０Ｂ…側部延長片
２０ａ，２０ｂ…長辺縁部
２０ｃ…足元側短辺部
３０…足元延長片
３０ａ，３０ｃ…長辺部
３０ｂ…短辺部
４０…部分円布
４０ａ…半径方向端辺部
５０…カバー
６０…アメリカンホック
７０…ループ布材
８０…ボタン
９０…ボタンホール
１００…羽毛上掛け布団
Ａ〜Ｊ…係合手段
【図１】
2004181158.tif 000003
【図２】
2004181158.tif 000004
【図３】
2004181158.tif 000005
【図４】
2004181158.tif 000006
【図５】
2004181158.tif 000007
【図６】
2004181158.tif 000008
【図７】
2004181158.tif 000009
【図８】
2004181158.tif 000010
【図９】
2004181158.tif 000011
【図１０】
2004181158.tif 000012